【手続補正書】
【提出日】平成24年1月25日(2012.1.25)
【手続補正１】
【補正対象書類名】特許請求の範囲
【補正対象項目名】全文
【補正方法】変更
【補正の内容】
【特許請求の範囲】
【請求項１】
遊技領域に遊技球を打込むことにより遊技が行なわれ、各々が識別可能な複数種類の識別情報の変動表示を行なって表示結果を導出表示する変動表示装置と、遊技者にとって有利な第１の状態と該第１の状態に比べて遊技者にとって不利な第２の状態とに変化する可変入賞球装置とを備え、前記変動表示装置における前記識別情報の変動表示の表示結果が所定の特定表示結果となったときに、所定の始動態様で前記可変入賞球装置を前記第２の状態から前記第１の状態に制御し、前記可変入賞球装置に進入した遊技球が特定進入領域に進入したことに基づいて、遊技者に有利な特定遊技状態に制御する遊技機であって、
前記可変入賞球装置に設けられ、前記特定進入領域に遊技球が進入しやすい高進入状態と、該高進入状態に比べて前記特定進入領域に遊技球が進入しにくい低進入状態とに変化する振分手段と、
前記可変入賞球装置内に進入した遊技球を検出する進入検出手段と、
前記可変入賞球装置外へ排出される遊技球を検出する排出検出手段と、
前記振分手段を制御する振分制御手段と、
前記可変入賞球装置を前記第１の状態および前記第２の状態に制御する可変入賞球装置制御手段と、
前記変動表示の表示結果を、前記特定表示結果のうち第１の特定表示結果とするか、前記特定表示結果のうち第２の特定表示結果とするか、前記特定表示結果以外の表示結果とするかを決定する表示結果決定手段と、
前記進入検出手段による検出と前記排出検出手段による検出とに基づき、前記可変入賞球装置内に進入した遊技球が前記可変入賞球装置内に存在するか否かを判定する判定手段と、
前記進入検出手段により遊技球が検出されると計時を開始する進入計時手段と、
該進入計時手段により予め定められた時間が計時されたときに、前記判定手段により前記可変入賞球装置内に遊技球が存在すると判定されたことを条件として、異常を報知する異常報知手段とを含み、
前記振分制御手段は、前記変動表示装置に前記第１の特定表示結果または前記第２の特定表示結果が導出表示されてから所定の振分変化待機時間が経過したときに前記振分手段を前記高進入状態に変化させ、
前記可変入賞球装置制御手段は、前記変動表示装置に前記第１の特定表示結果が導出表示されてから第１の始動待機時間が経過したときに前記可変入賞球装置を前記第２の状態から前記第１の状態に変化させ、前記変動表示装置に前記第２の特定表示結果が導出表示されてから前記第１の始動待機時間よりも長い第２の始動待機時間が経過したときに前記可変入賞球装置を前記第２の状態から前記第１の状態に変化させることを特徴とする、遊技機。
【手続補正２】
【補正対象書類名】明細書
【補正対象項目名】０００７
【補正方法】変更
【補正の内容】
【０００７】
（１）  遊技領域（遊技領域４１）に遊技球（打球）を打込むことにより遊技が行なわれ、各々が識別可能な複数種類の識別情報（特別図柄）の変動表示を行なって表示結果を導出表示する変動表示装置（特別図柄表示装置４４ａ）と、遊技者にとって有利な第１の状態（開放状態）と該第１の状態に比べて遊技者にとって不利な第２の状態（閉鎖状態）とに変化する可変入賞球装置（第１特別可変入賞球装置６６）とを備え、前記変動表示装置における前記識別情報の変動表示の表示結果が所定の特定表示結果（第１小当り表示結果、第２小当り表示結果）となったときに、所定の始動態様（第１特別可変入賞球装置６６の開閉片８１を回動させて開口部８２を開放する態様）で前記可変入賞球装置を前記第２の状態から前記第１の状態に制御し（図１９のＳＰ０６、図２０のＳＰ２４）、前記可変入賞球装置に進入した遊技球が特定進入領域（第１特定進入口８９、第２特定進入口９１、第１特定球検出器１２１ａ、第２特定球検出器１２１ｂ）に進入したことに基づいて、遊技者に有利な特定遊技状態（第２特別可変入賞球装置４８の開閉板４９を駆動させて開放する大当り遊技状態）に制御する（図１０のＳＤ０７〜ＳＤ０９）遊技機（パチンコ遊技機１）であって、
前記可変入賞球装置に設けられ、前記特定進入領域に遊技球が進入しやすい高進入状態（第２振分状態、図２の状態参照）と、該高進入状態に比べて前記特定進入領域に遊技球が進入しにくい低進入状態（第１振分状態、図３の状態参照）とに変化する振分手段（振分部材８３、振分用ソレノイド１０８）と、
前記可変入賞球装置内に進入した遊技球を検出する進入検出手段（第１カウントスイッチ１０６、図２１のＳＲ０１）と、
前記可変入賞球装置外へ排出される遊技球を検出する排出検出手段（排出球検出器１２２、図２１のＳＲ１３）と、
前記振分手段を制御する振分制御手段（遊技制御用マイクロコンピュータ９９、図１９のＳＰ１１、図２０のＳＰ１８）と、
前記可変入賞球装置を前記第１の状態および前記第２の状態に制御する可変入賞球装置制御手段（遊技制御用マイクロコンピュータ９９、図１８のＳＭ０８〜ＳＭ１３、図１９のＳＰ０３〜ＳＰ０６、図２０のＳＰ２１〜ＳＰ２４）と、
前記変動表示の表示結果を、前記特定表示結果のうち第１の特定表示結果（第１小当り表示結果）とするか、前記特定表示結果のうち第２の特定表示結果（第２小当り表示結果）とするか、前記特定表示結果以外の表示結果とするかを決定する表示結果決定手段（遊技制御用マイクロコンピュータ９９、図１７のＳＬ０１〜ＳＬ１５）と、
前記進入検出手段による検出と前記排出検出手段による検出とに基づき、前記可変入賞球装置内に進入した遊技球が前記可変入賞球装置内に存在するか否かを判定する判定手段（遊技制御用マイクロコンピュータ９９、図２０のＳＰ２７）と、
前記進入検出手段により遊技球が検出されると計時を開始する進入計時手段（遊技制御用マイクロコンピュータ９９、図２１のＳＲ０３、図１９のＳＰ０１）と、
該進入計時手段により予め定められた時間が計時されたとき（図２０のＳＰ３３においてＹＥＳ）に、前記判定手段により前記可変入賞球装置内に遊技球が存在すると判定されたこと（図２０のＳＰ２７においてＮＯ）を条件として、異常を報知する異常報知手段（遊技制御用マイクロコンピュータ９９、演出制御用マイクロコンピュータ、図２０のＳＰ３４）とを含み、
前記振分制御手段は、前記変動表示装置に前記第１の特定表示結果または前記第２の特定表示結果が導出表示されてから所定の振分変化待機時間（図２３の振分・貯留待機時間Ｔ５）が経過したときに前記振分手段を前記高進入状態に変化させ（図１８のＳＭ１４、図１９のＳＰ１０，ＳＰ１１、図２３）、
前記可変入賞球装置制御手段は、前記変動表示装置に前記第１の特定表示結果が導出表示されてから第１の始動待機時間（図２３の第１始動待機時間Ｔ３）が経過したときに前記可変入賞球装置を前記第２の状態から前記第１の状態に変化させ（図１８のＳＭ０９、図１９のＳＰ０４，ＳＰ０６、図２３）、前記変動表示装置に前記第２の特定表示結果が導出表示されてから前記第１の始動待機時間よりも長い第２の始動待機時間（図２３の第２始動待機時間Ｔ４）が経過したときに前記可変入賞球装置を前記第２の状態から前記第１の状態に変化させる（図１８のＳＭ１２、図１９のＳＰ０５，ＳＰ０６、図２３）。
【手続補正３】
【補正対象書類名】明細書
【補正対象項目名】０００８
【補正方法】変更
【補正の内容】
【０００８】
このような構成によれば、可変入賞球装置において、特定進入領域に遊技球が進入しやすい高進入状態と、その高進入状態に比べて特定進入領域に遊技球が進入しにくい低進入状態とに変化する振分手段が設けられている。そして、変動表示装置の表示結果に基づいて遊技球の受入れやすさが変化する可変入賞球装置に受入れられた遊技球が、振分手段により振分けられた後、特定進入領域に進入したことに基づいて、遊技者に有利な特定遊技状態に制御される。これにより、変動表示装置を用いた遊技を行ないながらも、可変入賞球装置内での遊技球の挙動に基づいた遊技の面白みを実現させることができる。さらに、変動表示の表示結果が特定表示結果のうち第１の特定表示結果となったときと、第２の特定表示結果となったときとで、振分手段を高進入状態に変化させるタイミングを同じ振分変化待機時間が経過したときとし、可変入賞球装置を第２の状態から第１の状態に制御するタイミングを、時間の長さが異なる始動待機時間が経過したときとすることにより、変動表示の表示結果が所定表示結果のうち第１の表示結果となったときと、第２の表示結果となったときとで、可変入賞球装置を第２の状態から第１の状態に変化させる制御タイミングと、振分手段を高進入状態に変化させる制御タイミングとの相関関係が異なる。これにより、変動表示の表示結果が第１特定表示結果となったときと、第２特定表示結果となったときとで、表示結果が表示された後に遊技者が可変入賞球装置の動作態様に対して同様のタイミングで遊技球を打込んでも、可変入賞球装置への遊技球の進入割合と、特定進入領域への遊技球の進入割合とがそれぞれ異なるようになるので、遊技が単調とならないようにすることができる。さらに、可変入賞球装置へ進入したが予め定められた時間が経過しても未だ排出されていない遊技球が存在する異常な状態を発生させて行なわれる不正行為を防止することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】